(57)【要約】  ボトルのネック部に固定される下部の装着部、バルブ部材と開放部材のような注液部分を含んだ上部のカバー部、キャップとボトルとの間の気密シールのためのシール要素、液体を注ぐための流出口、サイフォン構造のチューブを保持するためのチューブ支持部、および必要なら公知の完成用要素からなるボトルの注液キャップであって、不可逆に取り外しできる、注液を阻止する固定用部材(27)を含んでいることを特徴とする注液キャップ。
2007535444.tif 000002
【特許請求の範囲】
【請求項１】
ボトルのネック部に固定される下部装着部、バルブ部材および開放部材のような注液部分を含んだ上部カバー部、キャップとボトルとの間の気密シールのためのシール要素、液体を注ぐための流出口、サイフォン構造のチューブを保持するためのチューブ支持部、および必要なら公知の完成用要素からなるボトルの注液キャップであって、注液を阻止する不可逆に取り外しできる固定用部材(27)を含んでいることを特徴とする注液キャップ。
【請求項２】
装着部(1)とカバー部(2)と固定用部材(27)とが任意の公知の連結構造を用いて一体に結合されて、注液キャップ(10)に組立てられていることを特徴とする、請求項１に記載の注液キャップ。
【請求項３】
流出口が、装着部(1)に属する流出口下部部材(11)とカバー部(2)に属する流出口上部部材(21)とからなり、さらにバルブ部材および開放部材が、装着部(1)に属するバルブケース(12)とカバー部(2)に属するバルブ(22)とからなることを特徴とする、請求項１または２に記載の注液キャップ。
【請求項４】
カバー部(2)が、バルブケース(12)を包囲するがバルブケース(12)の上部高さには達していない保持チューブ(25)を備え、固定用部材(27)は、流出口内において、流出口上部部分(21)の外周上端への１回破断可能な連結部を有していて、かつ保持チューブ(25)の下側を通ってバルブケース(12)により支持されており、この固定用部材の有利にはフォーク状に分岐した端部がバルブ(22)を包囲していることを特徴とする、請求項１〜３のいずれかに記載の注液キャップ。
【請求項５】
装着部(1)が、その下端に内向きの固定用フランジ(17)を有している、ボトル(3)のネック部にぴったり嵌まる円筒形シェルを含んでいて、このフランジ(17)がボトルへの装着後にボトルのネック部の外部フランジの下側に恒久的に嵌まりこんだ状態になることを特徴とする、請求項１〜４のいずれかに記載の注液キャップ。
【請求項６】
装着部(1)が、ボトルのネック部に外側から弾性的に嵌まる内向きのフランジ(15)と、ボトルの口部に入り込んでそれに内側から弾性的に嵌まる密封用スタブ(16)とを備えることを特徴とする、請求項１〜５のいずれかに記載の注液キャップ。
【請求項７】
装着部(1)が、その縁部に上向きのカラー(18)を備えており、このカラーが、カバー部壁面(24)とそれに平行な下向きの内部壁面(26)とにより形成されたグルーブ(28)内に嵌まり込んでいることを特徴とする、請求項１〜７のいずれかに記載の注液キャップ。
【請求項８】
バルブ(22)の周囲でカバー部(2)の上部の肉厚を減ずることによってダイアフラム(23)が造形されており、このダイアフラムは、それを部分的または全体的に包囲している突起部(29)により補完されていることを特徴とする、請求項１〜７のいずれかに記載の注液キャップ。
【請求項９】
注液キャップ(10)の下部部分と上部部分とを恒久的に連結するため、装着部(1)に複数のドエル穴(41)が形成され、このドエル穴(41)に入るドエルピン(42)がカバー部(2)に形成されていることを特徴とする、請求項１〜８のいずれかに記載の注液キャップ。
【請求項１０】
装着部(1)とカバー部(2)と固定用部材がワンピースとして製作されている、すなわち、これらは製造過程において連結されている、ことを特徴とする請求項１〜９のいずれかに記載の注液キャップ。
【発明の詳細な説明】
【技術分野】
【０００１】
本発明の主題は、ボトルのネック部に固定された下部の装着部、注液部部を含んでいる上部のカバー部、キャップとボトルとの間の気密シールのためのシール要素、液体を注ぐための流出口、チューブを保持するためのチューブ支持部、および必要なら公知の完成用要素からなるボトルの注液キャップである。
【背景技術】
【０００２】
ソフトドリンク（清涼飲料）は、普通は、缶、紙容器またはプラスチックボトルに入れて販売されている。缶は缶ビールによって流行し始めた。缶は、開けた後で閉じることができないので、ソフトドリンクに非常に具合がよいとはいえない。ある種の紙容器は閉じることができるが、その閉まり具合は真に安全であるとはいえず、また紙容器から飲むのは快適ではない。容器（箱）の一部ではない注ぎ用テープまたはリップが必要である。小型の紙容器には通常は飲用ストローが付いているが、それで飲むのは楽しいものではなく、あらゆる種類のパケッージの中で消費者がボトルを好む理由はここにある。ボトルには閉じるためのキャップが設けられ、たいていはねじ込みキャップである。
【０００３】
品質低下を防止するために、飲み残した炭酸飲料の二酸化炭素含有量の低下を可及的に減少させる努力がなされている。このために、昔のソーダ水のボトルに似たプラスチック製の注液ヘッドが使用されるようになっている。
【０００４】
かかる解決手段の１例がハンガリー特許明細書HU 210,579およびハンガリー実用新案明細書30-Uに記載されている。これらの解決手段は、それらがボトルの高さを増して、その保管を難しくすることと、構造が複雑で1回の使用（使い捨て）用としては高価であるという難点がある。それらが数回使用できるのはソーダ水だけであり、適切に洗浄できないため、風味付けされた飲料や繊維を含む飲料にはだめである。
【０００５】
ハンガリー特許明細書HU 214,254は、ボトルを閉じ、流体内容物を注液し、単純なねじ込みキャップより背が高くならないプラスチック製注液ヘッドに関する。この解決手段は１回用の安価な使い捨て製品を提供するが、反復使用に対しては防護されていない。最初に開栓した時にキャップから引きちぎられるボトルネック部に装着された安全リング閉じ具を使って、当初のボトルを既に開けてしまったことを示すようになっている。これは注液ヘッドまたはキャップには適用できない。なぜなら、それらはボトルから取り外さずに液体を注ぐものであるからである。
【０００６】
ハンガリー実用新案登録1988-Uは、上記ハンガリー実用新案30-Uに係る注液キャップを、ボトルのネック部のキャップの一部に、キャップのねじを緩めた時に破断して抜け落ちるシグナル要素を導入して改良したものである。これは液体の部分的な注液を防止しないが、ボトルと注液ヘッドとの間の連結の不正な開栓を表示する。
【発明の開示】
【０００７】
本発明の解決手段は、使い捨てできるほど十分に安価で、ボトルの不正な開栓と同時に液体の部分的な注液に対しても防護する、ソフトドリンクボトル用のフラットまたは背の低い注液キャップを開発することを目指したものである。
【０００８】
本発明の解決手段は、使い捨てできるよう十分に安価にするには、補完要素を利用せずにキャップをワンピースから構成すべきであるという着想に基づいている。それは単一の型（モールド）で型成形またはダイキャストしたものでよい。モールドは、複雑になって、そのコストは高くなるが、組立てコストは低減する。
【０００９】
本発明の解決手段を確立する別の着想は、注液ユニットの押し下げを防止して不正使用を解消可能にすることである。防止部が取り除かれると、パッケージ製品はまだ触れられたことのないものであることが明瞭となる。
【００１０】
別の着想は、ボトルのネック部に装着する下部固定部分、その上のカバー部分、および注液を防止する固定用部材をワンピース（一体品）として連結して製作すると、構想した課題が全て満たされた、従来技術には追従しない新たな結果に到達することである。
【００１１】
上記着想に基づく本発明の解決手段は、ボトルのネック部に固定される下部装着部、バルブ部材および開放部材のような注液要素を含んだ上部カバー部、キャップとボトルとの間の気密シールを与えるシール要素、液体を注ぐための流出口、サイフォン構造のチューブを保持するチューブ支持部、および必要なら公知の完成用要素からなるボトルの注液キャップである。本発明に係る注液キャップは、不可逆に取り外しできる、注液を阻止する固定用部材を含んでいることを特徴とする。
【００１２】
本発明の注液キャップは、装着部とカバー部と固定用部材とが任意の公知の接合構造によって一体に結合されて、注液キャップに組立てられているという有利な特徴を有する。
本発明の注液キャップは、流出口が装着部に属する流出口下部部材とカバー部に属する流出口上部部材とからなり、さらに、バルブ部材および開放部材が装着部に属するバルブケースとカバー部に属するバルブとからなるという別の有利な特徴を有する。
【００１３】
本発明の注液キャップは、カバー部が、バルブケースを包囲するがその上部高さには達していない保持チューブを備え、固定用部材は、流出口内において、その上部外周端部に１回破断可能な連結部により結合されていて、かつ保持チューブの下側を通ってバルブケースにより支持されており、固定用部材の有利にはフォーク状に分岐した端部がバルブを包囲しているというさらに別の有利な特徴を有する。
【００１４】
本発明の注液キャップは、装着部が、その下端に内向きの固定用フランジを有している、ボトルのネック部にぴったり嵌まる円筒形シェルを含んでおり、このフランジが、ボトルへの装着後にボトルのネック部の外部フランジの下側に恒久的につながった状態になるというさらに別の有利な特徴を有する。
【００１５】
本発明の注液キャップは、装着部が、ボトルのネック部に外側から弾性的に嵌まるフランジと、ボトルの口部に入り込んでそれに内側から弾性的に嵌まる密封用スタブ(突出足部)とを備えるというさらに別の有利な特徴を有する。
【００１６】
本発明の注液キャップは、閉鎖と密封を向上させるために、装着部が、その縁部に上向きのカラーを備えており、このカラーが、カバー部壁面とこれに平行なカバー部の下向き内部壁面とにより形成されたグルーブ（溝）内に嵌まり込むという、さらに別の有利な特徴を有する。
【００１７】
本発明に係る注液キャップの有利な態様は、ダイアフラム（隔膜）が、バルブの周囲でカバー部の上部の肉厚を減ずることによって造形されており、それが適宜に全体的または部分的に突起で包囲されているという特徴を有する。
【００１８】
本発明に係る注液キャップの別の有利な態様は、注液キャップの下部部分と上部部分とを恒久的に連結するために、装着部にドエル穴が形成され、このドエル穴に入るドエルピンがカバー部に形成されているという特徴を有する。
【００１９】
最後に、本発明に係る注液キャップは、装着部とカバー部と固定用部材が、ワンピース（一体部品）を構成する、すなわち、これらは製造過程で連結されている、という有利な特徴を有する。
【発明を実施するための最良の形態】
【００２０】
以下に添付図面を用いて本発明を説明するが、本発明による解決手段および保護は図示の態様に何ら制限されるものではない。
本発明の注液キャップ10は、装着部１と、内部に固定用部材27を有するカバー部２、とから構成される（図１および２を参照）。装着部１は実質的に中空の円筒体であって、液体を注ぐための流出口下部部材11を備え、中心に穴を持つ円板101により閉鎖されている。流出口上部部材21を含んでいるカバー部２は、装着部１を上から閉じて完成させる部分である（図３を参照）。
【００２１】
図示のように、注液キャップ10は、２つの連結された正確に嵌まり会う部分からなる。図４は注液キャップ10の２部分が一体に連結されてワンピース（一体構成品）として製造されることを示している。図４では左から右に向かって装着部１、カバー部２および固定用部材27が示されている。注液キャップ10は、固定用部材27をカバー部２の中に折り込み、次いでカバー部２を装着部１の上に折り曲げて固定するようにして形成される。
【００２２】
詳しい説明は次の通りである。注液キャップ10の装着部１は、ボトルのネック部を包囲し、それに円筒壁面14の内部で外側からぴったり嵌まる（嵌合する）フランジ15を有する。円筒壁面14を閉鎖する円板（ディスク）101から突き出ている密封用スタブ（突出）16が、ボトルのネック部に内側から嵌合する。円板101は、その中心に上向きに突き出た円形開口を有し、これが、バルブケース12と下側では弁座（バルブシート）とを形成している。バルブケース12と同軸のリング形状のチューブ支持部13は、バルブケース12より大径で、円板101から下側に突き出ている。
【００２３】
固定用フランジ17が装着部１の下部にあり、この固定用フランジ17をボトルのネック部に設けた円形突出部の下側にスナップ嵌めすることにより注液キャップ10をボトルに恒久的に固定することができる。装着部１は、固定用フランジ17、フランジ15および密封用スタブ16によってボトルのネック部にしっかり固定されて配置される。ただし、この「しっかり」という意味はプラスチックの弾性によるものであることは言うまでもない。
【００２４】
カバー部２は、連結片19により装着部１に連結されている。連結片19は、折り曲げ用に設計されたプ細長いラスチック片であるか、または任意の他の公知の折り曲げ可能な部分（例、折り畳み構造物）である。肉厚を減ずることにより造形された薄い比較的弾性のダイアフラム（隔膜）23がカバー部の上部を、その周辺の円形リング部分を除いて閉鎖している。
【００２５】
バルブケース12と同軸でこれに正確に嵌合する中空のわずかにフレア状に開いたバルブ22がダイアフラム23の中心から下向きに突き出ている。このバルブ22のフレア状に開いた下部フランジは、円板101の下部に造形された弁座にはまり込んで着座する。バルブ22は、ダイアフラム23とボトルに炭酸系ソフトドリンクを入れた時のガス圧とにより保持されて上昇位置にあり、その下部フランジはバルブケース12をぴったり閉じている。
【００２６】
ダイアフラム23を押し下げると、バルブ22が下降してバルブケース12を開き、液体を流出させる。カバー部２の上では、剛性の突出部29がダイアフラム23の周囲円周の３／４あるいは少なくともダイアフラム23の両側に突き出ていて、ダイアフラムを意図しない押し下げから保護している。
【００２７】
カバー部２の主要部分はカバー壁面24であり、これはほぼ完全な円の形状を有するが、流出口上部部材21だけで途切れており、従ってカバー壁面24は全円よりは短くなっている。カバー部２は、ダイアフラム23の周囲のリング部分ではカバー壁面24と同じ厚みを有する。このリング部分から、内部壁面26が、流出口上部部材21の部分を除いて、カバー部２内でカバー壁面24と平行に下向きに突き出ている。カバー壁面24と内部壁面26はカラー18を受け入れるグルーブ（溝）28を形成する。この構造は装着部１とカバー部２を迷路連結により連結し、しっかり結合する。
【００２８】
短いスタブを形成する保持チューブ25がダイアフラムから下向きに突き出ていて、カバー部２内に固定用部材27により支持されている。固定用部材27は流出口上部部材21の外周端部からカバー部２の中心まで入り込んでいて、そのフォーク状に分岐した末端はバルブケース12の上で３辺からバルブ22を包囲している。固定用部材27はヒンジ構造により流出口上部部材21の外周上端に連結されている。
【００２９】
フラット・ヒンジ連結部211が流出口上部部材21の外周上端に一線に沿って連結されている。これは、流出口上部部材21に対して折り曲げるか、これから引きちぎることができる。このヒンジ連結部211（図５を参照）は片側に２つのヒンジ212を備えた矩形形状を有する。矩形の長さは流出口上部部材21の幅より大きく、矩形の幅は流出口上部部材の高さ（模擬高さ）に等しい。従って、ヒンジ連結部211は流出口の開口部を閉じる。ヒンジ212の穴が共通の直線上に位置する。固定用部材27の一端の両側にはヒンジボルト213があり、これらのボルトがヒンジ212の穴の中に入って、ヒンジ構造が構成される。固定用部材の他端は幅広になっていて、上記フォーク（分岐）形状を形成している。
【００３０】
ダイアフラム23を押し下げると、保持チューブ25は固定用部材27により停止され、固定用部材27はバルブケース12の上に保持されているので、ダイアフラム23はこうしてそれ以上の押し下げが妨げられる。固定用部材27がその所定位置にある間は、ボトルの開放はバルブ22と流出口の両方で防止される。ヒンジ連結部211は流出口より幅広であるので、これは２本の指で両側から容易につかむことができる。ヒンジ連結部211は流出口上部部材21に薄肉または有孔の連結部によって一線に沿って結合しているので、流出口を損傷せずに引きちぎることができる。ヒンジ連結部211を流出口上部部材21の端部から引きちぎると、固定用部材27を引き出して、捨てることができるようになる。
【００３１】
この注液キャップ10は、ボトルを閉めるのに使用できるだけでなく、液体をそれから注ぐのにも使用できる。ヒンジ連結部211の色をカバー部２と異なる色にすると、結果として、ボトルが当初の状態ではないこと、すなわち、それが既に開けられて使用されてしまっていること、が一目瞭然になるので、有利である。但し、ヒンジ連結部211は流出口より幅広であるため、同じ色であってもこの目的を完全に満たすことは明らかである。
【００３２】
装着部１の４点に設けたドエル穴41と、それに入り込むドエルピン42は、ドエルピン42をドエル穴41の中にスナップ嵌めすることにより、手で行う恒久的連結によって装着部の安全な連結に役立っている。ドエル穴41とドエルピン42の数は、必要に応じて妥当な制限内で増やしてもよい。装着部１とカバー部２は本発明で追求する保護の程度に影響を及ぼさない限り、他の任意の公知の方法によって恒久的に連結することもできる。
【００３３】
注液キャップ10の３つの部分、すなわち、装着部１、カバー部２および固定用部材27の全てが、単一のモールドを用いた単一の作業（プロセス）で製造されることが有利である。この製造法には、注液キャップの各部分が確実に同じ材料から作製され、全ての製造パラメータ、すなわち、温度、圧力、それらの経時変化および他の全てパラメータも同一であるという利点がある。
【００３４】
別の利点は、全ての部分が一体に受け入れられることである。各部分を別個に製作し、後でそれらを組立てることも可能であるが、注液キャップが時に異なるセットから選ばれた各部分から構成されていないことは、組立て作業の速度と確実性を高め、かつ製品品質も高める。連結されている部分を単純な動作で折り曲げてスナップ嵌めするだけでよいと、製造の一部である組立て作業もより容易、迅速、かつ確実になる。
【００３５】
単一のモールドを使った製造により本発明の注液キャップは、注ぐことができない単純なキャップのコストと同程度まで安価になる。こうして、再使用、すなわち、必要になるキャップの貯蔵や、要求され、かつ費用のかかるキャップの洗浄と消毒は不要になる。
【００３６】
以上の説明を要約すると、本発明は、一つのモールドで一緒に製作される注液キャップの上部部分と下部部分の安全確実な挿入および組立てといった新たな特徴を有する注液キャップに関する。
【００３７】
ここに説明した注液キャップは、この分野でこれまで完全に未解決であった問題点に対する解決手段を与える。なぜなら、平たい注液キャップはもとより、あらゆる種類の注液キャップについて、当初のボトルから１回でも、あるいは少量でも注ぐのを防止または表示するための安全用具がこれまでは存在しなかったからである。
【００３８】
本発明に係る解決手段は、サイズが小さく、価格は１回使用（使い捨て）に十分で、かつ衛生面の要求も十分に満たす注液キャップを与えることができる。
【図面の簡単な説明】
【００３９】
【図１】本発明に係る注液キャップの有利な構成の横断面図。
【図２】図１に示した注液キャップのII−II線に沿った断面図。
【図３】図１に示した注液キャップの流出口の側からの単純化した図面。
【図４】閉める前の広げた状態での本発明に係る注液キャップの有利な態様の概要図。
【図５】カバー部と固定用部材との間の連結部の概要図。
【図１】
2007535444.tif 000003
【図５】
2007535444.tif 000004
【図２】
2007535444.tif 000005
【図３】
2007535444.tif 000006
【図４】
2007535444.tif 000007
【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
ボトルのネック部に固定される下部装着部、バルブ部材および開放部材のような注液部分を含んだ上部カバー部、キャップとボトルとの間の気密シールのためのシール要素、液体を注ぐための流出口、サイフォン構造のチューブを保持するためのチューブ支持部、注液を阻止する、不可逆に取り外しできる固定用部材、および必要なら公知の完成用要素からなるボトルの注液キャップであって、その流出口が、装着部(1)に属する流出口下部部材(11)とカバー部(2)に属する流出口上部部材(21)とからなり、さらにバルブ部材および開放部材が、装着部(1)に属するバルブケース(12)とカバー部(2)に属するバルブ(22)とからなり、カバー部(2)は、バルブケース(12)を包囲するがバルブケース(12)の上部高さには達していない保持チューブ(25)を備え、固定用部材(27)は、流出口内にあって、流出口上部部分(21)の外周上端への１回破断可能な連結部を有していて、かつ保持チューブ(25)の下側を通ってバルブケース(12)により支持されており、この固定用部材の好ましくはフォーク状に分岐した端部がバルブ(22)を包囲していることを特徴とする、注液キャップ。
【請求項２】
装着部(1)とカバー部(2)と固定用部材(27)とが、注液キャップ(10)の下部部分と上部部分とを恒久的に連結するために、装着部(1)に形成された複数のドエル穴(41)と、カバー部(2)に形成された該ドエル穴(41)に入るドエルピン(42)といった、任意の公知の連結構造を用いて一体に連結されて、注液キャップ(10)に組立てられていることを特徴とする、請求項１に記載の注液キャップ。
【請求項３】
装着部(1)が、その下端に内向きの固定用フランジ(17)を有している、ボトルのネック部にぴったり嵌まる円筒形シェルを含んでいて、このフランジ(17)がボトルへの装着後にボトルのネック部の外部フランジの下側に恒久的に嵌まりこんだ状態になることを特徴とする、請求項１または２に記載の注液キャップ。
【請求項４】
装着部(1)が、ボトルのネック部に外側から弾性的に嵌まる内向きのフランジ(15)と、ボトルの口部に入り込んでそれに内側から弾性的に嵌まる密封用スタブ(16)とを備えることを特徴とする、請求項１〜３のいずれかに記載の注液キャップ。
【請求項５】
装着部(1)が、その縁部に上向きのカラー(18)を備えており、このカラーが、カバー部壁面(24)とそれに平行な下向きの内部壁面(26)とにより形成されたグルーブ(28)内に嵌まり込んでいることを特徴とする、請求項１〜４のいずれかに記載の注液キャップ。
【請求項６】
バルブ(22)の周囲でカバー部(2)の上面の肉厚を減ずることによってダイアフラム(23)が造形されており、このダイアフラムは、それを部分的または全体的に包囲している突起部(29)によって補完されていることを特徴とする、請求項１〜５のいずれかに記載の注液キャップ。
【請求項７】
装着部(1)とカバー部(2)と固定用部材がワンピースとして製作されている、すなわち、これらは製造過程において連結されている、ことを特徴とする請求項１〜６のいずれかに記載の注液キャップ。
【手続補正２】
【補正対象書類名】明細書
【補正対象項目名】０００１
【補正方法】変更
【補正の内容】
【０００１】
本発明の主題は、ボトルのネック部に固定された下部の装着部、注液部分を含んでいる上部のカバー部、キャップとボトルとの間の気密シールのためのシール要素、液体を注ぐための流出口、チューブを保持するためのチューブ支持部、注液を阻止する、不可逆に取り外しできる固定用部材、および必要なら公知の完成用要素からなるボトルの注液キャップである。
【手続補正３】
【補正対象書類名】明細書
【補正対象項目名】０００２
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
ハンガリー特許明細書HU 214,254は、ボトルを閉じ、流体内容物を注液し、単純なねじ込みキャップより背が高くならないプラスチック製注液ヘッドに関する。この解決手段は１回用の安価な使い捨て製品を提供するが、反復使用に対しては防護されていない。最初に開栓した時にキャップから引きちぎられるボトルネック部に装着された安全リング閉じ具を使って、当初のボトルを既に開けてしまったことを示すようになっている。これは注液ヘッドまたはキャップには適用できない。なぜなら、それらはボトルから取り外さずに液体を注ぐものであるからである。これは液体の部分的な注液を防止しないが、ボトルと注液ヘッドとの間の連結の不正な開栓を表示する。
【手続補正６】
【補正対象書類名】明細書
【補正対象項目名】０００６
【補正方法】変更
【補正の内容】
【０００６】
米国特許第6,036,170号では、バルブを作動させるためにストラップを設けた折り曲げ可能なアームが使用されている。炭酸液体を注ぐには、まずこのストラップをはずす必要がある。しかし、このストラップはカップの背を高くし、折り曲げ可能なアームは破断するのに扱いにくい。流出口の口を閉じ、米国特許第5,894,962号にしたがって最初に使用する前にそれを破断しなければならない。この方法は、バルブアセンブリの作動に対しては直接的には抑制するものではなく、開口部の閉鎖により間接的に抑制するだけである。
欧州特許公開第0 420 561号は、アクチュエータ要素がヘッドの残りの部分にヒンジ連結されている注液ヘッドの解決手段を教えている。最初に使用する際に、ユーザーはアクチュエータ要素を押し下げることができるようにブリッジを破断するのに十分な圧力をアクチュエータ要素に加える必要がある。この解決手段は、消費者に対して事前の開栓を十分に明瞭には示さない。
【手続補正７】
【補正対象書類名】明細書
【補正対象項目名】００１１
【補正方法】変更
【補正の内容】
【００１１】
上記着想に基づく本発明の解決手段は、ボトルのネック部に固定される下部装着部、バルブ部材および開放部材のような注液要素を含んだ上部カバー部、キャップとボトルとの間の気密シールを与えるシール要素、液体を注ぐための流出口、サイフォン構造のチューブを保持するチューブ支持部、注液を阻止する不可逆に取り外しできる固定用部材、および必要なら公知の完成用要素からなるボトルの注液キャップである。
【手続補正８】
【補正対象書類名】明細書
【補正対象項目名】００１２
【補正方法】変更
【補正の内容】
【００１２】
本発明に係る注液キャップは、その流出口が、装着部に属する流出口下部部材とカバー部に属する流出口上部部材とからなり、さらにバルブ部材および開放部材が、装着部に属するバルブケースとカバー部に属するバルブとからなり、カバー部は、バルブケースを包囲するがバルブケースの上部高さには達していない保持チューブを備え、固定用部材は、流出口内にあって、流出口上部部分の外周上端への１回破断可能な連結部を有していて、かつ保持チューブの下側を通ってバルブケースにより支持されており、この固定用部材の好ましくはフォーク状に分岐した端部がバルブを包囲していることを特徴とする。
【手続補正９】
【補正対象書類名】明細書
【補正対象項目名】００１３
【補正方法】変更
【補正の内容】
【００１３】
本発明の注液キャップは、装着部とカバー部と固定用部材とが、注液キャップの下部部分と上部部分とを恒久的に連結するために、装着部に複数のドエル穴が形成され、このドエル穴に入るドエルピンがカバー部に形成されているといった、任意の公知の接合構造によって一体に結合されて、注液キャップに組立てられているという有利な特徴を有する。
【手続補正１０】
【補正対象書類名】明細書
【補正対象項目名】００１４
【補正方法】変更
【補正の内容】
【００１４】
本発明の注液キャップは、装着部が、その下端に内向きの固定用フランジを有している、ボトルのネック部にぴったり嵌まる円筒形シェルを含んでおり、このフランジが、ボトルへの装着後にボトルのネック部の外部フランジの下側に恒久的につながった状態になるという有利な特徴を有する。
【手続補正１１】
【補正対象書類名】明細書
【補正対象項目名】００１５
【補正方法】変更
【補正の内容】
【００１５】
本発明の注液キャップは、装着部が、ボトルのネック部に外側から弾性的に嵌まる内向きのフランジと、ボトルの口部に入り込んでそれに内側から弾性的に嵌まる密封用スタブ(突出足部)とを備えるという有利な特徴を有する。
【手続補正１２】
【補正対象書類名】明細書
【補正対象項目名】００１６
【補正方法】変更
【補正の内容】
【００１６】
本発明の注液キャップは、装着部が、その縁部に上向きのカラーを備えており、このカラーが、カバー部壁面とこれに平行なカバー部の下向き内部壁面とにより形成されたグルーブ（溝）内に嵌まり込むという、有利な特徴を有する。
【手続補正１３】
【補正対象書類名】明細書
【補正対象項目名】００１７
【補正方法】変更
【補正の内容】
【００１７】
本発明に係る注液キャップは、ダイアフラム（隔膜）が、バルブの周囲でカバー部の上面の肉厚を減ずることによって造形されており、このダイアフラムが、これを全体的または部分的に包囲する突起によって補完されているという、有利な特徴を有する。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
本発明に係る注液キャップは、装着部とカバー部と固定用部材が、ワンピース（一体部品）を構成する、すなわち、これらは製造過程で連結されている、という有利な特徴を有する。
【国際調査報告】
2007535444.tif 000008
2007535444.tif 000009
2007535444.tif 000010
2007535444.tif 000011
2007535444.tif 000012
2007535444.tif 000013